(57)【要約】【課題】パネル等の被支持体を家具に対して簡便に着脱できるようにする。【解決手段】被支持体５に、床面Ｆに接地する接地部５１と、当該被支持体５から突き出して天板付家具１の天板１２下に入り込む突出部５２とを設ける一方、天板付家具１の天板１２の下向面に、前記突出部５２を係合させる係合部１２１を設けて、突出部５２を係合部１２１に係合させた状態で接地部５１を床面Ｆに接地することにより被支持体５の倒伏を抑制することとした。  【選択図】図１５
2008119149.tif 000002
【特許請求の範囲】
【請求項１】
被支持体が倒伏しないよう天板付家具に支持させるためのものであって、
前記被支持体に設けた床面に接地する接地部と、
前記被支持体から突き出して前記天板付家具の天板下に入り込む突出部と、
前記天板付家具の天板の下向面に設けた前記突出部を係合させる係合部とを具備し、
前記突出部を前記係合部に係合させた状態で前記接地部を床面に接地することにより前記被支持体の倒伏を抑制することを特徴とする支持構造。
【請求項２】
前記係合部に上向きに凹む凹部を形成し、
前記突出部に上向きに凸な凸部を形成して、
前記凸部を前記凹部内に挿入するようにしている請求項１記載の支持構造。
【請求項３】
前記被支持体が前記天板付家具の反使用端側に設立されるパネルである請求項１または２記載の支持構造。
【請求項４】
前記接地部に、前記被支持体及び前記突出部の床面に対する高さ位置を調整可能なアジャスタを設けている請求項１、２または３記載の支持構造。
【発明の詳細な説明】
【技術分野】
【０００１】
本発明は、天板付家具に所要の被支持体を支持させるための構造に関する。
【背景技術】
【０００２】
例えば、デスク等の家具にデスクトップパネルや幕板等を付設する場合、家具自体にパネル支持用の支持具をボルト等を介して剛結した上、この支持具にパネルを支持させることが通例である（例えば、下記特許文献を参照）。
【特許文献１】特開２００３−２４５１４０号公報
【発明の開示】
【発明が解決しようとする課題】
【０００３】
上記例の如き手法を採用すると、パネルの着脱の際に、家具に支持具を剛結する作業、あるいは家具に剛結している支持具を撤去する作業が必要となる。これらの作業では、剛結のためのボルトをドライバーを使用して締めたり緩めたりしなければならず、作業の煩雑さが否めない。
【０００４】
以上に鑑みてなされた本発明は、パネルやその他の被支持体をより簡便に着脱できるようにすることを所期の目的としている。
【課題を解決するための手段】
【０００５】
本発明では、被支持体を倒伏しないように天板付家具に支持させるにあたり、前記被支持体に、床面に接地する接地部と、当該被支持体から突き出して前記天板付家具の天板下に入り込む突出部とを設け、前記天板付家具の天板の下向面に、前記突出部を係合させる係合部を設けて、前記突出部を前記係合部に係合させた状態で前記接地部を床面に接地することにより前記被支持体の倒伏を抑制することとした。ここで、「天板」とは、上動不能に保定され、その下方に端面側から前記突出部を潜り込ませることができるもの一般をいう。従って、狭義では天板と呼称されない棚板等も、上記条件を満足する限りはこの「天板」に該当する。
【０００６】
本発明によれば、家具に支持具を剛結したり家具に剛結している支持具を撤去したりする作業が不要であり、簡便に被支持体を着脱可能となる。
【０００７】
前記係合部に上向きに凹む凹部を形成し、前記突出部に上向きに凸な凸部を形成して、前記凸部を前記凹部内に挿入するものとすれば、凸部と凹部との凹凸係合を通じて被支持体が一層倒れにくくなる。
【０００８】
前記被支持体は、例えば前記天板付家具の反使用端側に設立されるパネル（または、ボード）である。
【０００９】
前記接地部に、前記被支持体及び前記突出部の床面に対する高さ位置を調整可能なアジャスタを設けてあれば、アジャスタを操作して被支持体及び突出部を上昇させることによって突出部を係合部により強く係合させるとともに、アジャスタを床面により強く押し付けることができる。ひいては、支持構造の安定性が増す。
【発明の効果】
【００１０】
本発明によれば、被支持体を家具に対してより簡便に着脱できるようになる。
【発明を実施するための最良の形態】
【００１１】
以下、本発明の一実施形態を、図面を参照して説明する。本実施形態では、図１に示す各種の天板付家具即ちカウンターテーブル１、キッチン用収納家具２、ＩＴ用収納家具３、書棚４に、被支持体たるパネル（または、ボード）５を着脱可能に支持させることを想定している。
【００１２】
各家具１、２、３、４について述べる。図１ないし図３に示すように、カウンターテーブル１は、脚１１１に幕板１１２を架け渡すように装着してなる家具本体１１に、天板１２を載置して固定したものである。脚１１１は、左右に一対存在している。脚１１１は、円盤状のベース１１１ａと、ベース１１１ａの中心部から直立したパイプ状の脚柱１１１ｂとを要素とし、その脚柱１１１ｂが幕板１１２内に貫入して上端が天板１２直下まで到達している。天板に１２おける脚柱１１１ｂの直上の箇所には、天板１２上と脚柱１１１ｂ内とを連通する連通孔１２ａを形成し、カウンターテーブル１に付帯する照明器具１３や小物用トレー１４等の支柱１３１、１４１を連通孔１２ａから脚柱１１１ｂ内に挿入して支持させ得るようにしている。このとき、照明器具１３の給電コードも脚柱１１１ｂ内に挿通して配線することができる。照明器具１３や小物用トレー１４等を設営しない場合には、天板１２の貫通孔１２ａに目隠し蓋（図示せず）をしておく。
【００１３】
家具本体１１、換言すれば幕板１１２の正面及び／または背面には、略水平方向に延伸するレール１１３を埋設している。図４に示すように、レール１１３は、側断面視略コ字型をなすレール本体の下壁から上壁に向けて突片１１３ａを立ち上げて開口幅を狭めているもので、その突片１１３ａを利用してレール１１３に沿った任意の位置にオプション部材６を掛止可能となっている。
【００１４】
図示例のオプション部材は、雑誌や薄型の書籍、文書等を保持することのできる書架（雑誌架）６である。図１及び図４に示すように、書架６は、やや後傾した面板６１と、面板６１の側縁から後方に屈曲した側板６２と、面板６１の上縁から後方に屈曲した上板６３と、面板６１の下縁から前方に屈曲した樋６４とを備える。面板６１には、無数の丸孔６１１を穿ってある。側板６２は、略垂直な後縁をなす。上板６３は、側板６２の後縁よりも後方に延出し、その先端で下方に屈曲した掛止片６３１を形作っている。書架６を掛止するには、上板６３の先端をレール１１３内に差し入れて掛止片６３１を突片１１３ｂに係合させた上、側板６２の後縁を家具本体１１の正面または背面に当接させるようにする。また、樋６４は、その先端で上方に屈曲した落下防止片６４１を形作っている。雑誌等は、樋６４及び面板６１を介して立てかける。
【００１５】
図３に示すように、家具本体１１の脚１１１及び幕板１１２は、天板１２の前後幅のちょうど中央に位置している。つまり、天板１２は、家具本体１１から前後に大きくオーバーハングしている。
【００１６】
図１、図５ないし図７に示すように、キッチン用収納家具２は、キッチン用の機器、用具や物品を収納する収納空間２１２、２１３、２１４を有する家具本体２１に、天板２２を載置して固定したものである。家具本体２１は、四隅を脚２１１で支持してある。家具本体２１は、概略筐体状をなし、正面視側方（右方）部位に大形の空洞部２１２を開成しつつ、その他の部位に複数の抽斗部２１３及び戸棚部２１４を設けている。空洞部２１２は、例えば冷蔵庫、電子レンジ、給湯ポット、コーヒーメーカ、ドリンクサーバ、おしぼりを保温する保温機等の機器を設置するための場所であり、戸は存在しない。空洞部２１２の底壁には、床上に連通する配線口２１２ａを形成しており、この配線口２１２ａを利用して冷蔵庫等の給電コードを配線することができる。抽斗部２１３及び戸棚部２１４には、キッチンで必要となる食器類や布巾、常温保存可能な食品、調味料等を収納しておくことができる。
【００１７】
家具本体２１の背面には、略水平方向に延伸するレール２１５を埋設している。レール２１５は、カウンターテーブル１の家具本体１１に埋設しているレール１１３と同等のものであり、このレール２１５に沿った任意の位置にオプション部材即ち書架６を掛止可能である。
【００１８】
図７に示すように、天板２２は、家具本体の背面から若干（好ましくは、１０ｍｍ以下）後方にオーバーハングしている。家具本体２１の天板２２に接合する上縁近傍は凹んでおり、この凹陥２１６によって天板２２の後端面周辺における下向面の露出範囲が前方に拡張している。並びに、天板２２は、家具本体２１の正面から若干前方にオーバーハングしている。家具本体２１の天板２２に接合する上縁近傍は、抽斗部２１３の鏡板の表面や戸棚部２１４の戸板の表面よりも凹んでおり、この凹陥２１７によって天板２２の前端面周辺における下向面の露出範囲が後方に拡張している。
【００１９】
図１、図８ないし図１０に示すように、ＩＴ用収納家具３は、情報通信関連機器を収納する収納空間３１２、３１３を有する家具本体３１に、天板３２を載置して固定したものである。家具本体は、四隅を脚３１１で支持してある。家具本体３１は、正面視側方（右方）部位に大形の空洞部３１２を開成しつつ、その他の部位に戸棚部３１３を設けている。空洞部３１２は、プリンタやファクシミリ、光学ディスクドライブ等を設置するための場所であり、戸は存在しない。また、プリンタやファクシミリから排出される印刷紙等を取り出しやすくする目的で、天板３２における空洞部３１２の直上の領域を切り欠いて空洞部３１２を上方にも開放している。戸棚部３１３には、コンピュータの本体やハードディスクドライブ等を収納しておくことができる。図示例では、戸棚部３１３は家具本体３１の背面側に開口するものとし、開閉する戸板も背面側に存在している。空洞部３１２と戸棚部３１３とを隔てる隔壁には、両者を連通する配線口３１３ｂを形成しており、この配線口３１３ｂを利用してプリンタ等をコンピュータに接続するためのケーブルを配線することができる。尤も、隔壁自体をなくしてもよい。さらに、空洞部３１２及び／または戸棚部３１３の底壁には、床上に連通する配線口３１２ａ、３１３ａを形成しており、この配線口３１２ａ、３１３ａを利用して給電コードや通信ケーブルを配線することができる。加えて、天板３２における戸棚部３１３の直上の箇所にも、天板３２上と戸棚部３１３とを連通する配線口３２ａを形成しており、この配線口３２ａを利用してディスプレイ、キーボート、ポインティングデバイス（マウス、トラックパッド、他）等をコンピュータに接続するためのケーブルを配線することができる。これにより、コンピュータのディスプレイ、キーボート、ポインティングデバイス等を天板３２上に配置可能になる。
【００２０】
図１０に示すように、天板３２は、家具本体３１の背面から若干後方にオーバーハングしている。家具本体３１の天板３２に接合する上縁近傍は、戸棚部３１３の戸板の表面よりも凹んでおり、この凹陥３１４によって天板３２の後端面周辺における下向面の露出範囲が前方に拡張している。並びに、天板３２は、家具本体３１の正面から若干前方にオーバーハングしている。家具本体３１の天板３２に接合する上縁近傍は凹んでおり、この凹陥３１５によって天板３２の前端面周辺における下向面の露出範囲が後方に拡張している。
【００２１】
図１、図１１及び図１２に示すように、書棚４は、書籍、文書やその他の物品を収納する収納空間４１２を有する家具本体４１に、天板４２を載置して固定したものである。家具本体４１は、四隅を脚４１１で支持してある。家具本体４１は、概略筐体状をなし、正面側に開口する収納空間４１２内に棚板及び仕切板を配設してこれを複数の部分空間に区画している。
【００２２】
図１２に示すように、天板４２は、家具本体４１の背面から若干後方にオーバーハングしている。家具本体４１の天板４２に接合する上縁近傍は凹んでおり、この凹陥４１３によって天板４２の後端面周辺における下向面の露出範囲が前方に拡張している。
【００２３】
カウンターテーブル１、キッチン用収納家具２、ＩＴ用収納家具３、書棚４のそれぞれの天板１２、２２、３２、４２の高さ寸法Ｈは、おしなべて（約１０００ｍｍに）揃っている。各家具１、２、３、４の天板１２、２２、３２、４２の前後幅寸法Ｗは互いに略等しく、各家具１、２、３、４の家具本体１１、２１、３１、４１の下縁の高さ、換言すれば床面Ｆと家具本体１１、２１、３１、４１との間隙の大きさＬも揃っている。また、キッチン用収納家具２の家具本体２１に設けたレール２１５の高さＲは、カウンターテーブル１の家具本体１１に設けたレール１１３の高さＲに略一致している。
【００２４】
本実施形態では、必要に応じて、上述の各天板付家具１、２、３、４の反使用端側にパネル５を設立することができる。図１及び図１３に示すように、パネル５は、各家具１、２、３、４の倍程度の高さ寸法の概略板状体であり、下端部を接地部５１として床面Ｆに接地するものである。パネル５における各家具の天板よりも上方にある部位には、レール５３を埋設している。レール５３は、カウンターテーブル１やキッチン用収納家具２の家具本体１１、２１に埋設しているレール１１３、２１５と同等のものであり、このレール５３に沿った任意の位置にオプション部材即ち書架６を掛止可能である。
【００２５】
そして、パネル５における各家具の天板よりも若干下方にある部位に、突出部たる治具５２を設けている。図１４ないし図１６等に示すように、この治具５２は、パネル５の表面から略水平方向に突き出しており、その先端で上向きに凸な凸部５２１を形作っている。治具５２は、弾性変形可能なものとすることができる。治具５２は、パネル５から取り外せる部材であってもよく、取り外せないようにパネル５に一体化していてもよい。
【００２６】
他方、各家具１、２、３、４の天板１２、２２、３２、４２の端面周辺の下向面には、パネル５から突き出した治具５２を係合させる係合部１２１、２２１、３２１、４２１を予め設けておく。本実施形態では、この係合部１２１、２２１、３２１、４２１に、上向きに凹む凹部（または、凹溝）１２１ａ、２２１ａ、３２１ａ、４２１ａを形成している。
【００２７】
パネル５を設立するにあたっては、図１４に示すように、パネル５を天板付家具１、２、３、４の反使用端側に臨ませ、パネル５をやや前傾させてその治具５２を天板１２、２２、３２、４２の端面側から天板１２、２２、３２、４２下に潜り込ませる。しかる後、パネル５の下端部位を前方に押し込んでパネル５の姿勢を起こすように操作すると、図１５または図１６に示すように、治具５２の凸部５２１が天板１２、２２、３２、４２の係合部１２１、２２１、３２１、４２１に形成された凹部１２１ａ、２２１ａ、３２１ａ、４２１ａに挿入され、同時にパネル５の接地部５１が床面Ｆに緊密に接地する。結果として、パネル５が天板付家具１、２、３、４に支持された状態になる。つまり、凸部５２１と凹部１２１ａ、２２１ａ、３２１ａ、４２１ａとの凹凸係合を含む治具５２と係合部１２、２２、３２、４２との係合、並びに接地部５１と床面Ｆとの摩擦により、パネル５の倒伏が抑制される。この支持構造は、天板付家具１、２、３、４の自重及びパネル５の自重をうまく利用してパネル５を支持する点に特色がある。因みに、図１４、図１５はカウンターテーブル１にパネル５を取着する例を示し、図１６はキッチン用収納家具２、ＩＴ用収納家具３または書棚４にパネル５を取着する例を示している。
【００２８】
パネル５を取り外したいときには、上記と真逆の手順を踏めばよい。即ち、設立しているパネル５の下端部位を後方に引き出してパネル５の姿勢を前傾させるように操作すると、パネル５の接地部５１が床面Ｆから離れ、同時に治具５２の凸部５２１が天板１２、２２、３２、４２の係合部１２１、２２１、３２１、４２１に形成された凹部１２１ａ、２２１ａ、３２１ａ、４２１ａから脱出する。しかる後、パネル５を天板付家具１、２、３、４から引き離す。
【００２９】
本実施形態によれば、被支持体５に、床面Ｆに接地する接地部５１と、当該被支持体５から突き出して天板付家具１、２、３、４の天板１２、２２、３２、４２下に入り込む突出部５２とを設け、前記天板付家具１、２、３、４の天板１２、２２、３２、４２の下向面に、前記突出部５２を係合させる係合部１２１、２２１、３２１、４２１を設けて、前記突出部５２を前記係合部１２１、２２１、３２１、４２１に係合させた状態で前記接地部５１を床面Ｆに接地することにより前記被支持体５の倒伏を抑制することとしたため、家具１、２、３、４に支持具を剛結したり家具１、２、３、４に剛結している支持具を撤去したりする作業が不要であり、簡便に被支持体５を着脱可能となる。
【００３０】
前記係合部１２１、２２１、３２１、４２１に上向きに凹む凹部１２１ａ、２２１ａ、３２１ａ、４２１ａを形成し、前記突出部５２に上向きに凸な凸部５２１を形成して、前記凸部５２１を前記凹部１２１ａ、２２１ａ、３２１ａ、４２１ａ内に挿入するものとしたため、凸部５２１と凹部１２１ａ、２２１ａ、３２１ａ、４２１ａとの凹凸係合を通じて被支持体５が一層倒れにくくなる。
【００３１】
本実施形態の支持構造は、前記天板付家具１、２、３、４の反使用端側にパネル５を設立する用途に好適に適用できる。
【００３２】
なお、本発明は以上に詳述した実施形態に限られるものではない。以下に、変形例の幾つかを示す。図１７ないし図２０に示すように、被支持体５の接地部５１にアジャスタ５１１を設けておくことが考えられる。この場合、（被支持体５の突出部５２を天板１２、２２、３２、４２の係合部１２１、２２１、３２１、４２１に係合させつつ）アジャスタ５１１を床面Ｆに接地させた後、アジャスタ５１１を操作して被支持体５及び突出部５２の高さ位置を上昇させることにより、突出部５２を係合部１２１、２２１、３２１、４２１により強く係合させるとともに、アジャスタ５１１を床面Ｆにより強く押し付けることができる。ひいては、支持構造の安定性が増す。
【００３３】
図１８に示すように、天板１２、２２、３２、４２の下向面に係合部１２１、２２１、３２１、４２１として下方に突出する突出体を成形しておけば、凸部５２１をこの突出体１２１、２２１、３２１、４２１に引っ掛けるようにして被支持体５の突出部５２を係合させることができる。
【００３４】
図１９に示すように、被支持体５の突出部５２に凸部５２１を設けず、天板１２、２２、３２、４２の係合部１２１、２２１、３２１、４２１に凹部を設けない態様も考えられる。この場合、突出部５２の上向面と係合部１２１、２２１、３２１、４２１の下向面とを略同一高さに設定しておき、両者を密接させて面摩擦を生じさせるようにする。図示例では、天板１２、２２、３２、４２に係合部１２１、２２１、３２１、４２１として下方に突出する突出体を成形しているが、天板１２、２２、３２、４２の下向面を突出体１２１、２２１、３２１、４２１の存在しない平坦面としても構わない。
【００３５】
図２０に示すように、被支持体５における所定高さ以下の部位を広い範囲に亘って突き出させた突出部５２を設け、この突出部５２を利用して支持構造を構築することも考えられる。
【００３６】
また、天板付家具の種類は、上記実施形態の如きものには限定されない。普遍的な執務用デスクに、例えばデスクトップパネル及び／または幕板等の被支持体を支持させるべく本発明を適用することを妨げない。加えて、被支持体の種類も、パネルには限定されない。
【００３７】
その他各部の具体的構成は上記実施形態に限られるものではなく、本発明の趣旨を逸脱しない範囲で種々変形が可能である。
【図面の簡単な説明】
【００３８】
【図１】本発明の一実施形態における天板付家具及び被支持体を示す斜視図。
【図２】天板付家具の一であるカウンターテーブルを示す正面図。
【図３】同カウンターテーブルの側面図。
【図４】同カウンターテーブルの要部側断面図。
【図５】天板付家具の一であるキッチン用収納家具を示す正面図。
【図６】同キッチン用収納家具の背面図。
【図７】同キッチン用収納家具の側面図。
【図８】天板付家具の一であるＩＴ用収納家具を示す正面図。
【図９】同ＩＴ用収納家具の背面図。
【図１０】同ＩＴ用収納家具の側面図。
【図１１】天板付家具の一である書棚を示す正面図。
【図１２】同書棚の側面図。
【図１３】被支持体の一であるパネルを示す正面図。
【図１４】本実施形態の支持構造を示す要部側断面図。
【図１５】同支持構造を示す要部側断面図。
【図１６】本実施形態の支持構造を示す要部側断面図。
【図１７】本発明の変形例を示す要部側断面図。
【図１８】本発明の変形例を示す要部側断面図。
【図１９】本発明の変形例を示す要部側断面図。
【図２０】本発明の変形例を示す要部側断面図。
【符号の説明】
【００３９】
１、２、３、４…天板付家具
１２、２２、３２、４２…天板
１２１、２２１、３２１、４２１…係合部
１２１ａ、２２１ａ、３２１ａ、４２１ａ…凹部
５…被支持体（パネル）
５１…接地部
５２…突出部
５２１…凸部
Ｆ…床面
【図１】
2008119149.tif 000003
【図２】
2008119149.tif 000004
【図３】
2008119149.tif 000005
【図４】
2008119149.tif 000006
【図５】
2008119149.tif 000007
【図６】
2008119149.tif 000008
【図７】
2008119149.tif 000009
【図８】
2008119149.tif 000010
【図９】
2008119149.tif 000011
【図１０】
2008119149.tif 000012
【図１１】
2008119149.tif 000013
【図１２】
2008119149.tif 000014
【図１３】
2008119149.tif 000015
【図１４】
2008119149.tif 000016
【図１５】
2008119149.tif 000017
【図１６】
2008119149.tif 000018
【図１７】
2008119149.tif 000019
【図１８】
2008119149.tif 000020
【図１９】
2008119149.tif 000021
【図２０】
2008119149.tif 000022